【手続補正書】
【提出日】平成26年4月23日(2014.4.23)
【手続補正１】
【補正対象書類名】特許請求の範囲
【補正対象項目名】全文
【補正方法】変更
【補正の内容】
【特許請求の範囲】
【請求項１】
側面に連結金具を有する支柱部材と水平方向のつなぎ材から組み立てられる枠形状の垂直面を適宜間隔で平行に複数個立設し、垂直面間で対向する支柱部材の間をブレース材で連結することによって、枠形状の垂直面とブレース材からなる枠組を構築し、対向するつなぎ材の間に１枚または複数枚の床付き布枠を水平に架け渡してなる仮設足場であって、垂直面内のつなぎ材が水平部材とこの水平部材を斜め下方から支える２本の方杖からなり、水平部材の両端部と方杖の両下端部をそれぞれ支柱部材に強固に連結するために、水平部材の両端部にはクサビ金具不要の掛止手段を設け、かつ、方杖の下端部にはクサビ金具を設けてなる方杖付つなぎ材であることを特徴とする仮設足場。
【請求項２】
垂直面間で対向する支柱部材の間にさらに手摺部材を取り付けることを特徴とする、請求項１に記載の仮設足場。
【請求項３】
垂直面間で対向する支柱部材の間を連結するブレース材として、手摺部材と一体化されたブレース一体型手摺枠を用いることを特徴とする、請求項１に記載の仮設足場。
【請求項４】
側面に連結金具を有する支柱部材と水平方向の第一のつなぎ材から組み立てられる枠形状の垂直面を適宜間隔で平行に複数個立設し、垂直面間で対向する支柱部材の間を水平方向の第二のつなぎ材で連結することによって枠形状の垂直面とつなぎ材からなる枠組を構築し、垂直面間で対向する第一のつなぎ材の間に１枚または複数枚の床付き布枠を水平に架け渡してなる仮設足場であって、垂直面内の第一のつなぎ材が水平部材とこの水平部材を斜め下方から支える２本の方杖からなり、水平部材の両端部と方杖の両下端部をそれぞれ支柱部材に強固に連結するために、水平部材の両端部にはクサビ金具不要の掛止手段を設け、かつ、方杖の下端部にはクサビ金具を設けてなる方杖付つなぎ材であることを特徴とする仮設足場。
【請求項５】
垂直面間で対向する支柱部材の間にさらに手摺部材を取り付けることを特徴とする、請求項４に記載の仮設足場。
【請求項６】
垂直面間で対向する支柱部材の間を連結する第二のつなぎ材として、先行手摺枠を接合してなる先行手摺枠一体型つなぎ材を用いることを特徴とする、請求項４に記載の仮設足場。
【請求項７】
垂直面内の方杖付つなぎ材の水平部材の両端部の少なくとも一方には、掛止手段として下向きの切り欠き部を有する端部板を設けたことを特徴とする、請求項１から６までのいずれかに記載の仮設足場。
【請求項８】
垂直面内の方杖付つなぎ材の水平部材の端部板の下向きの切り欠き部の幅が、連結すべき支柱部材の側面に設けられたボタンピンのボタン部の外径より小さくかつボタンピンの取付軸の外径より大きいことを特徴とする、請求項７に記載の仮設足場。
【請求項９】
垂直面内の方杖付つなぎ材の水平部材の端部の下部には、連結すべき支柱部材の側面に設けられたボタンピンのボタン部を収容できるだけの開口部を有することを特徴とする、請求項８に記載の仮設足場。
【請求項１０】
垂直面内の方杖付つなぎ材の水平部材の両端部の少なくとも一方には、掛止手段としてボタンピンが設けられていることを特徴とする、請求項１から６までのいずれかに記載の仮設足場。
【請求項１１】
垂直面内の方杖付つなぎ材の水平部材の端部板のボタンピンが、連結すべき支柱部材の側面に設けられた上向きの切り欠き部の幅よりも大きい外径を有するボタン部と、この切り欠き部の幅よりも小さい外径を有する取付軸からなることを特徴とする、請求項１０に記載の仮設足場。
【請求項１２】
垂直面内の方杖付つなぎ材の水平部材の両端部の少なくとも一方には、掛止手段として、水平部材の外径よりも大きい外径を有する円形の端部板が設けられていることを特徴とする、請求項１から６までのいずれかに記載の仮設足場。
【請求項１３】
垂直面内の方杖付つなぎ材の水平部材の円形の端部板が、連結すべき支柱部材の側面に設けられた上向きの切り欠き部の幅よりも大きい外径を有することを特徴とする、請求項１２に記載の仮設足場。
【請求項１４】
垂直面内の方杖付つなぎ材の方杖の下端部に設けるクサビ金具が、連結すべき支柱部材の側面に設けられた連結金具を上下から挟んで内抱できる形状を有することを特徴とする、請求項１から１３までのいずれかに記載の仮設足場。
【請求項１５】
垂直面内の方杖付つなぎ材の方杖の下端部に設けるクサビ金具がＣ字形状を有することを特徴とする、請求項１から１４までのいずれかに記載の仮設足場。
【請求項１６】
請求項１から１５までのいずれかに記載の仮設足場であって、足場の妻面に用いられる垂直面内に設置される方杖付つなぎ材は、先行手摺枠を接合して一体化された先行手摺枠一体型方杖付つなぎ材であることを特徴とする仮設足場。
【手続補正２】
【補正対象書類名】明細書
【補正対象項目名】００１５
【補正方法】変更
【補正の内容】
【００１５】
ここでは、くさび緊結式足場の支柱１が建物１４の側とその反対側に各３本が立設されている。各々の支柱１は、複数のコマ４を側面に有する支柱部材３をホゾ材（図示せず。）を介して縦方向に継ぎ足すことによって形成されている。建物側およびその反対側の支柱１の間には、コマ４を介してつなぎ材２が上下に各１本水平方向に連結され、クサビ（図示せず）で緊結されることで、枠形状の垂直面が組み立てられている。また、垂直面間には、建物とは反対側で対向する支柱部材３の間に、コマ４を介してブレース材２１が斜めに取り付けられてクサビ（図示せず）で緊結されて、枠形状の垂直面とブレース材からなる枠組が構築される。ここでは、作業員の安全確保のために、さらに、同じ支柱部材３の間にコマ４を介して手摺部材２０が取り付けられてクサビで緊結されている。その後、対向するつなぎ材２の間に、それぞれ床付き布枠９を１枚又は平行して２枚以上架け渡すことで、１段目の足場が形成される。なお、建物側にもブレース材や手摺材を設置してもよい。
【手続補正３】
【補正対象書類名】明細書
【補正対象項目名】００１６
【補正方法】変更
【補正の内容】
【００１６】
２段目の足場は、必要に応じて、１段目の足場と同様にして形成される。１段目の足場の支柱部材３の上端に別途用意した支柱部材３をホゾ材（図示せず。）を介して縦方向に継ぎ足した上で、つなぎ材２、ブレース材２１、手摺部材２０の足場構成部材をコマ４を介して取り付け、そして、コマ４においてクサビ（図示せず）によってこれらの足場構成部材を緊結した後、対向するつなぎ材２の間に、それぞれ床付き布枠９を１枚又は平行して２枚以上架け渡すことによって、２段目の足場が形成される。これを順次繰り返すことによって、複数段の足場が組み立てられる。
【手続補正４】
【補正対象書類名】明細書
【補正対象項目名】００３９
【補正方法】変更
【補正の内容】
【００３９】
これに対して、くさび緊結式足場やシステム支保工では、支柱部材とつなぎ材が別部材となっており、現場で組み立てることができる。そして、軽量であり嵩張ることもないので、運搬性がよい。ただし、支柱部材とつなぎ材の連結部分は一体ではないので、その強度を上げる必要がある。支柱部材に対して強固に連結することができるつなぎ材としては、鋼製やアルミニウム製などの管からなる水平部材と、水平部材を斜め下方から支える２本の方杖とからなる基本的な構成を採用し、水平部材の両端部と２本の方杖の下端部の計４個所において、左右の支柱部材に強固に連結できる構造とするのがよい。したがって、支柱部材に強固に連結するためには、図６に示されるように、単に半円筒状の縦型プレートを設けて、この縦型プレートを支柱の側面に押し当てるだけの構造とするのではなく、図７に示されるように、２本の方杖の下端部にもクサビ金具を設けて、４個所ともクサビで緊結することができる構造とするのが好ましい。しかしながら、図７に示される方杖付つなぎ材は、上述したとおり、水平部材の両端に接合されたクサビ金具は高所に存在するため、クサビによる緊結作業時に作業員の手が届きにくいのでクサビによる緊結作業がしづらいだけでなく、クサビ金具が計４個所も存在するため、クサビによる緊結作業の手間がかかるという問題がある。
【手続補正５】
【補正対象書類名】明細書
【補正対象項目名】００５７
【補正方法】変更
【補正の内容】
【００５７】
(1) 側面に連結金具を有する支柱部材と水平方向のつなぎ材から組み立てられる枠形状の垂直面を適宜間隔で平行に複数個立設し、垂直面間で対向する支柱部材の間をブレース材で連結することによって、枠形状の垂直面とブレース材からなる枠組を構築し、対向するつなぎ材の間に１枚または複数枚の床付き布枠を水平に架け渡してなる仮設足場であって、垂直面内のつなぎ材が水平部材とこの水平部材を斜め下方から支える２本の方杖からなり、水平部材の両端部と方杖の両下端部をそれぞれ支柱部材に強固に連結するために、水平部材の両端部にはクサビ金具不要の掛止手段を設け、かつ、方杖の下端部にはクサビ金具を設けてなる方杖付つなぎ材であることを特徴とする仮設足場。
【手続補正６】
【補正対象書類名】明細書
【補正対象項目名】００６０
【補正方法】変更
【補正の内容】
【００６０】
(4) 側面に連結金具を有する支柱部材と水平方向の第一のつなぎ材から組み立てられる枠形状の垂直面を適宜間隔で平行に複数個立設し、垂直面間で対向する支柱部材の間を水平方向の第二のつなぎ材で連結することによって枠形状の垂直面とつなぎ材からなる枠組を構築し、垂直面間で対向する第一のつなぎ材の間に１枚または複数枚の床付き布枠を水平に架け渡してなる仮設足場であって、垂直面内の第一のつなぎ材が水平部材とこの水平部材を斜め下方から支える２本の方杖からなり、水平部材の両端部と方杖の両下端部をそれぞれ支柱部材に強固に連結するために、水平部材の両端部にはクサビ金具不要の掛止手段を設け、かつ、方杖の下端部にはクサビ金具を設けてなる方杖付つなぎ材であることを特徴とする仮設足場。
【手続補正７】
【補正対象書類名】明細書
【補正対象項目名】００６４
【補正方法】変更
【補正の内容】
【００６４】
(8) 垂直面内の方杖付つなぎ材の水平部材の端部板の下向きの切り欠き部の幅が、連結すべき支柱部材の側面に設けられたボタンピンのボタン部の外径より小さくかつボタンピンの取付軸の外径より大きいことを特徴とする、上記(7)の仮設足場。
【手続補正８】
【補正対象書類名】明細書
【補正対象項目名】００６５
【補正方法】変更
【補正の内容】
【００６５】
(9) 垂直面内の方杖付つなぎ材の水平部材の端部の下部には、連結すべき支柱部材の側面に設けられたボタンピンのボタン部を収容できるだけの開口部を有することを特徴とする、上記(8)の仮設足場。
【手続補正９】
【補正対象書類名】明細書
【補正対象項目名】００６６
【補正方法】変更
【補正の内容】
【００６６】
(10) 垂直面内の方杖付つなぎ材の水平部材の両端部の少なくとも一方には、掛止手段としてボタンピンが設けられていることを特徴とする、上記(1)〜(6)のいずれかの仮設足場。
【手続補正１０】
【補正対象書類名】明細書
【補正対象項目名】００６７
【補正方法】変更
【補正の内容】
【００６７】
(11) 垂直面内の方杖付つなぎ材の水平部材の端部板のボタンピンが、連結すべき支柱部材の側面に設けられた上向きの切り欠き部の幅よりも大きい外径を有するボタン部と、この切り欠き部の幅よりも小さい外径を有する取付軸からなることを特徴とする、上記(10)の仮設足場。
【手続補正１１】
【補正対象書類名】明細書
【補正対象項目名】００６８
【補正方法】変更
【補正の内容】
【００６８】
(12) 垂直面内の方杖付つなぎ材の水平部材の両端部の少なくとも一方には、掛止手段として、水平部材の外径よりも大きい外径を有する円形の端部板が設けられていることを特徴とする、上記(1)〜(6)のいずれかの仮設足場。
(13) 垂直面内の方杖付つなぎ材の水平部材の円形の端部板が、連結すべき支柱部材の側面に設けられた上向きの切り欠き部の幅よりも大きい外径を有することを特徴とする、上記(12)の仮設足場。
【手続補正１２】
【補正対象書類名】明細書
【補正対象項目名】００７１
【補正方法】変更
【補正の内容】
【００７１】
(16) 上記(1)〜(15)のいずれかの仮設足場であって、足場の妻面に用いられる垂直面内に設置される方杖付つなぎ材は、先行手摺枠を接合して一体化された先行手摺枠一体型方杖付つなぎ材であることを特徴とする仮設足場。
【手続補正１３】
【補正対象書類名】明細書
【補正対象項目名】００８８
【補正方法】変更
【補正の内容】
【００８８】
(a)は側面にボタンピン４１を設けてなる支柱部材３に方杖付つなぎ材の水平部材３１の端部を位置合わせしたところであり、(b)はこのボタンピン４１に水平部材の端部を上方から下方に移動させる途中であり、(c)はこのボタンピン４１に端部板４０の下向きの切り欠き部４０ａを掛止したところを、それぞれ示している（いずれも正面図である。）。そして、(d)は(c)のＡ−Ａ矢視断面図であり、(e)は(d)のＢ−Ｂ矢視図である。
【手続補正１４】
【補正対象書類名】明細書
【補正対象項目名】００８９
【補正方法】変更
【補正の内容】
【００８９】
上述したとおり、方杖付つなぎ材の水平部材３１の端部には下向きの開口部３１ａが形成され、さらに水平部材３１の端部の下部に設けられた端部板４０には下向きの切り欠き部４０ａが形成されている。そして、この水平部材３１の端部を上方から下方に移動させることによって、このボタンピン４１に端部板４０の下向きの切り欠き部４０ａを掛止することができる。この切り欠き部４０ａの幅と、ボタンピンのボタン部４１ａおよび取付軸４１ｂの外径は、上述したとおりの関係にあるから、一旦このボタンピン４１に端部板４０の下向きの切り欠き部４０ａを掛止した後には、水平部材３１の端部を上方に持ち上げない限り、支柱部材３への水平部材３１の端部の連結が外れることはないことが分かる。
【手続補正１５】
【補正対象書類名】明細書
【補正対象項目名】０１０８
【補正方法】変更
【補正の内容】
【０１０８】
(a)は側面に上向きの切り欠き部を有する薄幅のコマ４２を設けてなる支柱部材３に方杖付つなぎ材の水平部材３１の端部を位置合わせしたところであり、(b)はこの薄幅のコマ４２に水平部材の端部を上方から下方に移動させる途中であり、(c)はこの薄幅のコマ４２に水平部材３１の端部のボタンピン４１を支柱部材に掛止したところを、それぞれ示している。
【手続補正１６】
【補正対象書類名】明細書
【補正対象項目名】０１０９
【補正方法】変更
【補正の内容】
【０１０９】
上述したとおり、方杖付つなぎ材の水平部材３１の端部には、端部板４０を介してボタンピン４１が接合されている。そして、この水平部材３１の端部を上方から下方に移動させることによって、支柱部材３の側面に設けられた上向きの切り欠き部４２ａに、水平部材３１の端部のボタンピン４１を掛止することができる。この切り欠き部４２ａの幅と、ボタンピンのボタン部４１ａおよび取付軸４１ｂの外径は、上述したとおりの関係にあるから、一旦この上向きの切り欠き部４２ａにボタンピン４１を掛止した後には、水平部材３１の端部を上方に持ち上げない限り、支柱部材３への水平部材３１の端部の連結が外れることはないことが分かる。
【手続補正１７】
【補正対象書類名】明細書
【補正対象項目名】０１１１
【補正方法】変更
【補正の内容】
【０１１１】
なお、この方杖付つなぎ材全体を支柱部材の側面に連結および緊結する際の手順は、図１５に示したものと同じである。
【手続補正１８】
【補正対象書類名】明細書
【補正対象項目名】０１２１
【補正方法】変更
【補正の内容】
【０１２１】
(a)は側面に上向きの切り欠き部を有する薄幅のコマ４２を設けてなる支柱部材３に方杖付つなぎ材の水平部材３１の端部を位置合わせしたところであり、(b)はこの薄幅のコマ４２に水平部材の端部を上方から下方に移動させる途中であり、(c)はこの薄幅のコマ４２に水平部材３１の端部の端部板４０を支柱部材に掛止したところを、それぞれ示している。
【手続補正１９】
【補正対象書類名】明細書
【補正対象項目名】０１２２
【補正方法】変更
【補正の内容】
【０１２２】
上述したとおり、方杖付つなぎ材の水平部材３１の端部には、端部板４０が接合されている。そして、この水平部材３１の端部を上方から下方に移動させることによって、支柱部材３の側面に設けられた上向きの切り欠き部４２ａに、水平部材３１の端部の端部板４０を掛止することができる。この切り欠き部４２ａの幅と、端部板４０および水平部材３１の外径は、上述したとおりの関係にあるから、一旦この上向きの切り欠き部４２ａに端部板４０を掛止した後には、水平部材３１の端部を上方に持ち上げない限り、支柱部材３への水平部材３１の端部の連結が外れることはないことが分かる。
【手続補正２０】
【補正対象書類名】明細書
【補正対象項目名】０１２４
【補正方法】変更
【補正の内容】
【０１２４】
なお、この方杖付つなぎ材全体を支柱部材の側面に連結および緊結する際の手順は、図１５に示したものと同じである。
【手続補正２１】
【補正対象書類名】明細書
【補正対象項目名】０１３５
【補正方法】変更
【補正の内容】
【０１３５】
この先行手摺枠を接合してなる方杖付つなぎ材は、建物のコーナー部に当たる場所に設置される足場に形成される妻面からの作業員の転落防止のために、妻面上の支柱部材の間に設置することができる。この先行手摺枠を接合してなる方杖付つなぎ材は、先行して取り付けることができるので、床付き布枠が水平に架け渡されて作業床や作業員の通路として利用されるときには、その足場の妻面には手摺部材がすでに設置されている状態にすることができる。
【手続補正２２】
【補正対象書類名】図面
【補正対象項目名】図１
【補正方法】変更
【補正の内容】
【図１】
2013124541.tif 000001
【手続補正２３】
【補正対象書類名】図面
【補正対象項目名】図１４
【補正方法】変更
【補正の内容】
【図１４】
2013124541.tif 000002